(57)【要約】【課題】レッグホールの開口面積が大きく足を入れ易いと共に、前方部においては、鼠径部がスッキリとした外観となり、横漏れが防止でき、後方部においては、臀部が広い範囲で被覆され、履き心地が良いパンツ型吸収性物品を提供すること。【解決手段】本発明のおむつ１Ａは、腹側シート部材２Ａと、背側シート部材２Ｂと、長手方向前後部分３ａ，３ａがそれぞれ固定された吸収性本体３と、吸収性本体３の両側部３ｂに立体ギャザー４とを具備し、両側縁部が接合されてウエスト開口部ＷＯとレッグ開口部ＬＯとが形成されている。各立体ギャザー４は、腹側シート部材２Ａ上においては、幅方向の内方側に倒した状態で固定されており、背側シート部材２Ｂ上においては、幅方向の外方側に倒した状態で固定されている。吸収性本体３の吸収体３３は、両側部３３ｂ及び中央部３３ｃの間に、起立の契機となる起立誘導部３５を有している。【選択図】図２
2011115484.tif 000002
【特許請求の範囲】
【請求項１】
着用時に着用者の腹側に配される伸縮性の腹側シート部材と、着用時に着用者の背側に配される伸縮性の背側シート部材と、腹側シート部材及び背側シート部材に、その長手方向前後部分がそれぞれ固定された吸収性本体と、該吸収性本体の長手方向の両側部それぞれに、立体ギャザーとを具備し、前記腹側シート部材及び前記背側シート部材それぞれの両側縁部が接合されてウエスト開口部と一対のレッグ開口部とが形成されたパンツ型吸収性物品であって、
各前記立体ギャザーは、前記腹側シート部材上においては、前記吸収性本体の幅方向の内方側に倒した状態で固定されており、前記背側シート部材上においては、前記吸収性本体の幅方向の外方側に倒した状態で固定されており、
前記吸収性本体を構成する吸収体は、長手方向の両側部それぞれと中央部との間に、着用時に着用者に向かって前記吸収性本体の両側部それぞれが起立する契機となる起立誘導部を有しているパンツ型吸収性物品。
【請求項２】
各前記起立誘導部は、前記吸収体の長手方向に沿うエンボス溝、前記吸収体の目付が前記吸収体の前記中央部又は前記両側部の目付より低い低目付部、又は前記吸収体を構成するパルプのない空間部である請求項１に記載のパンツ型吸収性物品。
【請求項３】
前記腹側シート部材上の各前記立体ギャザーの前記固定における腹側固定内方端は、各前記起立誘導部の内方端よりも内側に位置し、前記背側シート部材上の各前記立体ギャザーの前記固定における背側固定外方端は、各前記起立誘導部の外方端よりも外側に位置している請求項１又は２に記載のパンツ型吸収性物品。
【発明の詳細な説明】
【技術分野】
【０００１】
本発明は、使い捨ておむつ等のパンツ型吸収性物品に関する。
【背景技術】
【０００２】
従来のパンツ型吸収性物品として、外包体が、着用時に着用者の腹側に配される腹側シート部材と、着用時に着用者の背側に配される背側シート部材とに分割されており、吸収性本体が、腹側シート部材及び背側シート部材に架け渡すように固定されていると共に、腹側シート部材の左右の両側縁部と背側シート部材の左右両側縁部とが接合されているパンツ型吸収性物品が知られている。例えば、特許文献１には、前ベルト部分及び後ろベルト部分からなる環状弾性ベルトと吸収性本体とを備えると共に、後ろベルト部分（背側シート部材）の縦方向の長さを、前ベルト部分（腹側シート部材）の縦方向の長さよりも長くしたプルオン衣類が記載されている。
【先行技術文献】
【特許文献】
【０００３】
【特許文献１】特表２００８−５０８０８２号公報
【発明の概要】
【発明が解決しようとする課題】
【０００４】
このような特許文献１に記載のパンツ型吸収性物品においては、一対のレッグホールの開口面積を大きくすることができ、着用時に着用者の足を入れ易い。しかしながら、特許文献１には、吸収性本体の両側部に配される立体ギャザーの固定や、吸収性本体を構成する吸収体の形状について詳しく記載されておらず、特許文献１に記載のパンツ型吸収性物品では、前方部（腹側シート部材）の鼠径部をスッキリとした外観にすることが難しく、横漏れを防止することが難しく、後方部（背側シート部材）の臀部を広い範囲で被覆し、履き心地を向上することが難しい。
【０００５】
したがって、本発明の課題は、一対のレッグホールの開口面積を大きくすると共に、前方部（腹側シート部材）においては、鼠径部をスッキリとした外観にし、横漏れを防止し、後方部（背側シート部材）においては、臀部を広い範囲で被覆し、履き心地の良いパンツ型吸収性物を提供することにある。
【課題を解決するための手段】
【０００６】
本発明は、着用時に着用者の腹側に配される伸縮性の腹側シート部材と、着用時に着用者の背側に配される伸縮性の背側シート部材と、腹側シート部材及び背側シート部材に、その長手方向前後部分がそれぞれ固定された吸収性本体と、該吸収性本体の長手方向の両側部それぞれに、立体ギャザーとを具備し、前記腹側シート部材及び前記背側シート部材それぞれの両側縁部が接合されてウエスト開口部と一対のレッグ開口部とが形成されたパンツ型吸収性物品であって、各前記立体ギャザーは、前記腹側シート部材上においては、前記吸収性本体の幅方向の内方側に倒した状態で固定されており、前記背側シート部材上においては、前記吸収性本体の幅方向の外方側に倒した状態で固定されており、前記吸収性本体を構成する吸収体は、長手方向の両側部それぞれと中央部との間に、着用時に着用者に向かって前記吸収性本体の両側部それぞれが起立する契機となる起立誘導部を有しているパンツ型吸収性物品を提供するものである。
【発明の効果】
【０００７】
本発明のパンツ型吸収性物品によれば、一対のレッグホールの開口面積が大きく足を入れ易いと共に、前方部（腹側シート部材）においては、鼠径部がスッキリとした外観となり、横漏れが防止でき、後方部（背側シート部材）においては、臀部が広い範囲で被覆され、履き心地が良い。
【図面の簡単な説明】
【０００８】
【図１】図１は、本発明の第１実施形態であるパンツ型使い捨ておむつの斜視図である。
【図２】図２は、図１に示すパンツ型使い捨ておむつを伸張させて拡げた状態を表面シート側から見た平面図である。
【図３】図３（ａ）は図２のＸ１−Ｘ１線断面図であり、図３（ｂ）は図２のＸ２−Ｘ２線断面図であり、図３（ｃ）は図２のＸ３−Ｘ３線断面の自然状態における断面図である。
【図４】図４は、本発明の第２実施形態であるパンツ型使い捨ておむつにおける図２のＸ１−Ｘ１線断面図である。
【図５】図５は、本発明の第２実施形態のパンツ型使い捨ておむつに用いられる吸収体の平面図である。
【図６】図６は、本発明の第３実施形態であるパンツ型使い捨ておむつにおける図２のＸ１−Ｘ１線断面図である。
【図７】図７は、本発明の第３実施形態のパンツ型使い捨ておむつに用いられる吸収体の平面図である。
【図８】図８は、本発明の第４実施形態のパンツ型使い捨ておむつの斜視図である。
【発明を実施するための形態】
【０００９】
以下、本発明のパンツ型吸収性物品を、その好ましい第１実施形態に基づき、図１〜図３を参照しながら説明する。
【００１０】
第１実施形態のパンツ型使い捨ておむつ１Ａ（以下、「おむつ１Ａ」ともいう。）は、図１に示すように、着用時に着用者の腹側に配される伸縮性の腹側シート部材２Ａと、着用時に着用者の背側に配される伸縮性の背側シート部材２Ｂと、腹側シート部材２Ａ及び背側シート部材２Ｂに、吸収性本体３の長手方向前後部分３ａ，３ａをそれぞれ固定された吸収性本体３と、吸収性本体３の長手方向の両側部３ｂ，３ｂそれぞれに立体ギャザー４とを具備し、腹側シート部材２Ａの両側縁部２ａ，２ａと背側シート部材２Ｂの両側縁部２ｂ，２ｂとが接合されてウエスト開口部ＷＯと一対のレッグ開口部ＬＯ，ＬＯとが形成されている。
おむつ１Ａは、図１〜図２に示すように、中心線ＣＬに対して左右対称に形成されている。従って以下の説明では、左右対称な部分については、主に、右側について説明する。
【００１１】
第１実施形態のおむつ１Ａについて詳述すると、おむつ１Ａは、おむつ１Ａの展開且つ伸張状態（図２参照）において、その長手方向（以下「Ｙ方向」という。Ｙ方向：中心線ＣＬに平行な方向をいう。）に、着用時に、着用者の腹側に配される腹側部Ａと、着用者の背側に配される背側部Ｂと、腹側部Ａと背側部Ｂとの間に位置し、着用者の股間部に配される股下部Ｃを有している。尚、おむつ１Ａの幅方向は、その長手方向（Ｙ方向）に直交する方向（以下「Ｘ方向」という。）である。
【００１２】
おむつ１Ａは、腹側部Ａに腹側シート部材２Ａを備えている。腹側シート部材２Ａは、おむつ１Ａの展開且つ伸長状態（図２参照）において、おむつ幅方向（Ｘ方向）に長い長方形状をなしており、おむつ長手方向（Ｙ方向）に沿う左右一対の側縁部２ａ，２ａを有している。
【００１３】
おむつ１Ａは、背側部Ｂに背側シート部材２Ｂを備えている。背側シート部材２Ｂは、おむつ１Ａの展開且つ伸長状態（図２参照）において、おむつ幅方向（Ｘ方向）に長い長方形状をなしており、おむつ長手方向（Ｙ方向）に沿う左右一対の側縁部２ｂ，２ｂを有している。
【００１４】
おむつ１Ａにおいては、図１に示すように、腹側シート部材２Ａの両側縁部２ａ，２ａと背側シート部材２Ｂの両側縁部２ｂ，２ｂとが接合されてサイドシール部５，５を形成するとともに、ウエスト開口部ＷＯと一対のレッグ開口部ＬＯ，ＬＯとが形成されている。このサイドシール部５，５の接合には、例えばヒートシール、高周波シール、超音波シール、接着剤等が用いられる。
【００１５】
おむつ１Ａにおいては、腹側シート部材２Ａの両側縁部２ａ，２ａと背側シート部材２Ｂの両側縁部２ｂ，２ｂとの全域が接合されて一対のサイドシール部５，５を形成しており、各サイドシール部５のＹ方向の長さは、図２に示すように、腹側シート部材２Ａ及び背側シート部材２ＢのＹ方向の長さと同じであるが、腹側シート部材２Ａの両側縁部２ａ，２ａの一部と背側シート部材２Ｂの両側縁部２ｂ，２ｂの一部とが接合されて一対のサイドシール部５，５を形成していてもよい。即ち、各サイドシール部５のＹ方向の長さは、腹側シート部材２Ａ又は背側シート部材２ＢのＹ方向の長さよりも短くてもよい。
おむつ１Ａにおいては、各サイドシール部５のＹ方向の長さは、外観上の見栄えの観点から、１７０ｍｍ〜２８０ｍｍであることが好ましく、２１５ｍｍ〜２６５ｍｍであることが更に好ましい。
【００１６】
伸縮性の腹側シート部材２Ａ及び背側シート部材２Ｂとしては、シート間に伸長状態で配された弾性部材の収縮によりギャザーを形成し伸縮性を発現するもの、又は、実質的に非伸長状態で伸長可能な不織布に固定された弾性フィラメント等により伸縮性を発現するものを用いることができる。おむつ１Ａにおいては、図２，図３に示すように、腹側シート部材２Ａ及び背側シート部材２Ｂそれぞれは、おむつの外面をなす外層シート２１と、外層シート２１の内面側に配された内層シート２２と、両シート２１，２２間にＸ方向に伸張状態で配された複数本の糸状の弾性部材２３とを備え、両シート２１，２２間が接着剤で固定されることにより、それぞれ、ウエスト伸縮部Ｇ１及び胴回り伸縮部Ｇ２を有している。おむつ１Ａにおいては、図２に示すように、ウエスト伸縮部Ｇ１は、腹側シート部材２Ａ及び背側シート部材２Ｂのそれぞれにおいて、吸収性本体３の長手方向（Ｙ方向）の前後部分３ａ，３ａそれぞれより外方に形成されており、胴回り伸縮部Ｇ２は、腹側シート部材２Ａ及び背側シート部材２Ｂのそれぞれにおいて、吸収性本体３の長手方向（Ｙ方向）の前後部分３ａ，３ａに形成されている。
【００１７】
吸収性本体３は、図２、３に示すように、液透過性の表面シート３１、液不透過性又は撥水性の裏面シート３２、及び両シート３１、３２間に介在配置された液保持性の吸収体３３を有しており、図２に示すように、Ｙ方向に長い長方形状に形成されている。吸収体３３は、パルプ繊維等の繊維の集合体に吸水性ポリマーの粒子を保持させてなる吸収性コア（不図示）と、該吸収性コアを被覆するコアラップシート（不図示）からなる。表面シート３１、裏面シート３２、及び吸収体３３は、何れも、図２に示すように、Ｙ方向に長い長方形状であり、表面シート３１及び裏面シート３２が、吸収体３３のＹ方向の両端それぞれより外方に延出した部分において接合され、Ｙ方向に長い長方形状の吸収性本体３が形成される。
【００１８】
吸収性本体３には、図２に示すように、長手方向（Ｙ方向）の両側部それぞれに沿って、立体ギャザー４が配されている。各立体ギャザー４は、吸収性本体３の長手方向（Ｙ方向）の両側部３ｂ，３ｂそれぞれに、長手方向（Ｙ方向）に沿って配されており、各立体ギャザー４は、図３（ｃ）に示すように、着用時の股下部Ｃにおいて、着用者の肌側に向かって起立する。
【００１９】
各立体ギャザー４は、図２，図３に示すように、液抵抗性ないし撥水性のシート材４１と、該シート材４１に固定された立体ギャザー形成用の弾性部材４２とを有してなる。おむつ１Ａにおけるシート材４１は、１枚の帯状のシートから形成されており、一枚のシートのＸ方向の一端部が、吸収性本体３の吸収体３３と裏面シート３２との間に配され、接合部３４にて固定されている。一枚のシートのＸ方向の他端部（自由端部）は、Ｘ方向の外方に延出し、立体ギャザー４の自由端部４ａとなる部位で２つ折りされ、それによって相対向したシート間に弾性部材４２が接着剤を介して固定されて、立体ギャザー４を形成している。
【００２０】
各立体ギャザー４を形成する弾性部材４２は、図２に示すように、吸収性本体３の長手方向（Ｙ方向）と平行に伸張状態で配されている。接合部３４も、吸収性本体５の両側縁部それぞれに沿って延びている。各立体ギャザー４は、着用時の股下部Ｃにおいて、接合部３４を固定端として、自由端部４ａが、着用者の肌側に向かって起立する。
【００２１】
吸収性本体３は、長手方向（Ｙ方向）の一端側が、腹側シート部材２Ａと重なっている部分において、腹側シート部材２Ａの内層シート２２上に接着剤を介して固定され、長手方向の他端側が、背側シート部材２Ｂと重なっている部分において、背側シート部材２Ｂの内層シート２２上に接着剤を介して固定されている。
【００２２】
各立体ギャザー４は、図２，図３（ａ）に示すように、腹側シート部材２Ａ上においては、吸収性本体３の幅方向（Ｘ方向）の内方側に倒した状態で固定されており、図２，図３（ｂ）に示すように、背側シート部材２Ｂ上においては、吸収性本体３の幅方向（Ｘ方向）の外方側に倒した状態で固定されている。具体的には、各立体ギャザー４は、図２，図３（ａ）に示すように、腹側シート部材２Ａ上に位置する部分においては、吸収性本体３の幅方向（Ｘ方向）内方側に倒した状態で、吸収体３３の肌当接面側を覆う表面シート３１上に、腹側固定部６ａにて固定されている。各立体ギャザー４は、図２，図３（ｂ）に示すように、背側シート部材２Ｂ上に位置する部分においては、吸収性本体３の幅方向（Ｘ方向）外方側に倒した状態で、背側シート部材２Ｂの内層シート２２上に、背側固定部６ｂにて固定されている。このように、おむつ１Ａは、背側シート部材２Ｂ上において、吸収性本体３の長手方向の他端側が、内層シート２２に接着剤を介して固定されており、各立体ギャザー４が背側固定部６ｂを介して内層シート２２に固定されている。
【００２３】
吸収性本体３を構成する吸収体３３は、図２，図３（ａ）に示すように、長手方向（Ｙ方向）の両側部３３ｂ，３３ｂそれぞれと中央部３３ｃとの間に、着用時に着用者に向かって吸収性本体３の両側部３ｂそれぞれが起立する契機となる起立誘導部３５を有している。第１実施形態のおむつ１Ａにおいては、各起立誘導部３５は、図２，図３（ａ）に示すように、吸収体がパルプ単独又はパルプと吸水ポリマーを含んで構成される場合、パルプのない空間部である。おむつ１Ａの各起立誘導部３５である空間部は、図２示すように、中心線ＣＬに向かって凸状に、吸収体を構成するパルプを欠いて形成されている。第１実施形態のおむつ１Ａにおいては、各起立誘導部３５である空間部が、図２，図３（ａ），図３（ｃ）に示すように、腹側部Ａから股下部Ｃに亘ってのみ形成されているが、吸収体３３の長手方向（Ｙ方向）の両端部３３ａ，３３ａ間に亘って形成されていてもよい。
【００２４】
第１実施形態のおむつ１Ａにおいては、図３（ａ）示すように、腹側シート部材２Ａ上の各立体ギャザー４の固定における腹側固定内方端６ａ１は、各起立誘導部３５の内方端３５ａよりも内側に位置し、図３（ｂ）に示すように、背側シート部材２Ｂ上の各立体ギャザー４の固定における背側固定外方端６ｂ１は、各起立誘導部３５の外方端３５ｂ（図３（ａ）参照）よりも外側に位置している。具体的には、各立体ギャザー４は、上述したように、図３（ａ）示すように、腹側シート部材２Ａ上においては、表面シート３１に腹側固定部６ａを介して固定されており、図３（ｂ）示すように、背側シート部材２Ｂ上においては、背側シート部材２Ｂの内層シート２２に背側固定部６ｂを介して固定されている。ここで、腹側固定内方端６ａ１とは、図３（ａ）に示すように、腹側固定部６ａにおける幅方向（Ｘ方向）の最も中心線ＣＬ寄りに位置する部位を意味し、背側固定外方端６ｂ１とは、図３（ｂ）に示すように、背側固定部６ｂにおける幅方向（Ｘ方向）の最も外方に位置する部位を意味する。また、図３（ａ）に示すように、起立誘導部３５の内方端３５ａとは、起立誘導部３５における幅方向（Ｘ方向）の最も中心線ＣＬ寄りに位置する部位を意味し、起立誘導部３５の外方端３５ｂとは、起立誘導部３５における幅方向（Ｘ方向）の最も外方に位置する部位を意味する。第１実施形態のおむつ１Ａにおいては、図２，図３（ａ），図３（ｂ）に示すように、腹側固定部６ａの腹側固定内方端６ａ１が、各起立誘導部３５の内方端３５ａよりも内側に位置し、背側固定部６ｂの背側固定外方端６ｂ１が、各起立誘導部３５の外方端３５ｂよりも外側に位置して形成されている。
【００２５】
上述のように形成されたおむつ１Ａは、図３（ｃ）に示すように、着用時に、各立体ギャザー４が着用者に向かって起立するに伴い、各起立誘導部３５に起因して、腹側シート部材２Ａ上の吸収性本体３の両側部３ｂ，３ｂそれぞれが起立する。具体的には、図３（ａ），図３（ｂ）に示すように、各立体ギャザー４を形成するシート材４１の一端部が、吸収性本体３の吸収体３３と裏面シート３２との間に配され接合部３４にて固定されている。また、各立体ギャザー４は、図３（ａ）に示すように、腹側シート部材２Ａ上においては、幅方向（Ｘ方向）の内方側に倒した状態で固定されており、図３（ｂ）に示すように、背側シート部材２Ｂ上においては、幅方向（Ｘ方向）の外方側に倒した状態で固定されている。また、吸収性本体３を構成する吸収体３３は、図２，図３に示すように、長手方向（Ｙ方向）の両側部３３ｂ，３３ｂと中央部３３ｃとの間に、着用時に着用者に向かって起立する契機となる起立誘導部３５を有している。従って、おむつ１Ａを着用者が着用する際に、各立体ギャザー４を形成する弾性部材４２の収縮力により、各立体ギャザー４が着用者に向かって起立するに伴い、各立体ギャザー４を形成するシート材４１の一端部が接合部３４にて固定されているため、各起立誘導部３５に起因して、図３（ｃ）に示すように、腹側シート部材２Ａ上の吸収性本体３の両側部３ｂ，３ｂ及び股下部Ｃにおける腹側シート部材２Ａ寄り吸収性本体３の両側部３ｂ，３ｂそれぞれが起立する。尚、着用時のおむつ１Ａの最大レッグ周長は、６００ｍｍ〜７９０ｍｍであることが好ましい。ここで、最大レッグ周長とは、着用者の脚回りに沿う一方のレッグ開口部ＬＯの長さを意味し、具体的には、着用時において、レッグ開口部ＬＯを形成する、腹側シート部材２Ａの股下部Ｃ側の端縁の長さと、股下部Ｃの立体ギャザー４の自由端部４ａの長さと、背側シート部材２Ｂの股下部Ｃ側の端縁の長さとの合計値である。
【００２６】
第１実施形態のパンツ型使い捨ておむつ１Ａの形成材料について説明する。
腹側シート部材２Ａ及び背側シート部材２Ｂを構成する外層シート２１と内層シート２２としては、通常、使い捨ておむつ等の吸収性物品に用いられるものであれば、特に制限なく用いることができる。例えば、外層シート２１及び内層シート２２としては、撥水性の不織布等を用いることができる。
【００２７】
吸収性本体３を構成する表面シート３１、裏面シート３２、吸収体３３及び立体ギャザー４を形成するシート材４１としては、それぞれ、通常、使い捨ておむつ等の吸収性物品に用いられるものであれば、特に制限なく用いることができる。例えば、表面シート３１としては、親水性且つ液透過性の不織布等を用いることができ、裏面シート３２としては、液不透過性又は撥水性の樹脂フィルムや樹脂フィルムと不織布の積層体等を用いることができる。吸収体３３としては、吸収性ポリマーの粒子及び繊維材料から構成された吸収コアをティッシュペーパーによって被覆されているものを用いることができる。立体ギャザー４を形成するシートとしては、伸縮性のフィルム、不織布、織物またはそれらの積層シート等を用いることができる。
【００２８】
ウエスト伸縮部Ｇ１及び胴回り伸縮部Ｇ２を形成する弾性部材２３、及び立体ギャザー４に配される弾性部材４２としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００２９】
吸収性本体３と、腹側シート部材２Ａ及び背側シート部材２Ｂとの固定手段は、通常、使い捨ておむつ等の吸収性物品に用いられる接着剤や、ヒートエンボス、超音波エンボス、高周波エンボス等の融着手段が用いられる。立体ギャザー４と背側シート部材２Ｂとの固定手段も、通常、使い捨ておむつ等の吸収性物品に用いられる接着剤や、ヒートエンボス、超音波エンボス、高周波エンボス等の融着手段が用いられる。表面シート３１、裏面シート３２、立体ギャザー形成用のシート材４１の固定も同様に、通常、使い捨ておむつ等の吸収性物品に用いられる接着剤やヒートエンボス、超音波エンボス、高周波エンボス等の融着手段が用いられる。サイドシール部５，５の接合には、例えばヒートシール、高周波シール、超音波シール、接着剤等が用いられる。
【００３０】
上述した本発明の第１施形態のパンツ型使い捨ておむつ１Ａを使用した際の作用効果について説明する。
第１実施形態のおむつ１Ａは、図１，図２に示すように、着用時に着用者の腹側に配される腹側シート部材２Ａと、着用時に着用者の背側に配される背側シート部材２Ｂと、腹側シート部材２Ａ及び背側シート部材２Ｂの中央部に亘って固定された吸収性本体３とを具備する、外層シートが２つに分割したおむつであるため、一対のレッグホールＬＯ，ＬＯの開口面積が大きく足を入れ易い。また、第１実施形態のおむつ１Ａは、各立体ギャザー４が、図２に示すように、腹側シート部材２Ａ上においては、吸収性本体３の幅方向（Ｘ方向）の内方側に倒した状態で固定されており、背側シート部材２Ｂ上においては、吸収性本体３の幅方向（Ｘ方向）の外方側に倒した状態で固定されている。その為、腹側部Ａにおいては、鼠径部がスッキリとした外観となり、背側部Ｂにおいては、臀部が広い範囲で被覆され、履き心地が良い。また、第１実施形態のおむつ１Ａは、図３（ｃ）に示すように、着用時に、各立体ギャザー４が着用者に向かって起立するに伴い、各起立誘導部３５に起因して、腹側シート部材２Ａ上の吸収性本体３の両側部３ｂ，３ｂ及び股下部Ｃにおける腹側シート部材２Ａ寄りの吸収性本体３の両側部３ｂ，３ｂそれぞれが起立する。その為、腹側部Ａ及び股下部Ｃにおいて、着用者の排尿部を覆うように、吸収性本体３が変形するので、横漏れを防止することができる。
【００３１】
また、第１実施形態のおむつ１Ａは、図３（ａ），図３（ｂ）に示すように、立体ギャザー４の腹側固定部６ａの腹側固定内方端６ａ１が、吸収体３３の各起立誘導部３５の内方端３５ａよりも内側に位置し、立体ギャザー４の背側固定部６ｂの背側固定外方端６ｂ１が、吸収体３３の各起立誘導部３５の外方端３５ｂよりも外側に位置して形成されている。その為、腹側部Ａにおいては、鼠径部がスッキリとした外観と更になり易く、着用者の排尿部を覆うように、吸収性本体３が更に変形し易いので、横漏れを更に防止することができる。また、背側部Ｂにおいては、臀部が広い範囲で被覆され易く、更に履き心地が良い。
【００３２】
次に、本発明の第２実施形態のパンツ型使い捨ておむつについて、図４，図５に基づいて説明する。
第２実施形態のパンツ型使い捨ておむつ１Ｂ（以下、「おむつ１Ｂ」ともいう）については、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００３３】
第２実施形態のおむつ１Ｂは、図４に示すように、各起立誘導部３５が空間部である第１実施形態のおむつ１Ａと異なり、各起立誘導部３５が低目付部で形成されている。即ち、おむつ１Ｂの各起立誘導部３５は、図４に示すように、吸収体３３を構成するパルプ及び／又は吸水ポリマーの目付が、吸収体３３の中央部３３ｃ又は吸収体３３の両側部３３ｂ，３３ｂの目付より低い低目付部である。
【００３４】
おむつ１Ｂの吸収体３３は、図４に示すように、長手方向（Ｙ方向）の両側部３３ｂ，３３ｂそれぞれと中央部３３ｃとの間に、起立誘導部３５である低目付部を有している。第２実施形態のおむつ１Ｂにおいては、各起立誘導部３５である低目付部は、中心線ＣＬに沿って、吸収体３３の長手方向（Ｙ方向）の両端部３３ａ，３３ａ間に亘って形成されているが、腹側部Ａから股下部Ｃに亘ってのみ形成されていてもよい。おむつ１Ｂにおける各起立誘導部３５のＸ方向の長さは、５ｍｍ〜３０ｍｍであることが好ましく、吸収体３３の両側部３３ｂ，３３ｂそれぞれのＸ方向の長さは、２０ｍｍ〜５０ｍｍであることが好ましく、吸収体３３の中央部３３ｃのＸ方向の長さは、５０ｍｍ〜１２０ｍｍであることが好ましい。吸収体３３の中央部３３ｃの目付は、通常のおむつに適用させる範囲でパルプや吸水ポリマー量を適宜調整することで調整でき、１００〜１２００ｇ／ｍ2であることが好ましい。また、おむつ１Ｂにおける各起立誘導部３５の目付は、中央部３３ｃ、両側部３３ｂより低いほど好ましいが、３００ｇ／ｍ2以下より好ましくは１００ｇ／ｍ2以下であれば、十分に満足すべき効果が得られる。特に、起立誘導部３５の吸収体を構成するパルプの目付が、１００ｇ／ｍ2以下より好ましくは５０ｇ／ｍ2以下であれば、一層の効果が得られる。吸収体３３の両側部３３ｂの目付は、中央部と同じでもよいが、装着違和感の観点から１００ｇ／ｍ2〜６００ｇ／ｍ2が好ましい。目付は、以下の方法で測定される。
【００３５】
＜目付の測定方法＞
先ず、吸収体３３を、中央部３３ｃ、両側部３３ｂ、及び起立誘導部３５である低目付部にて、５０ｍｍ×５０ｍｍの大きさに裁断し、これを各部位での測定サンプルとする。電子天秤（メーカー問わず）に、この測定サンプルを載置し、この状態での重量を測定し、その重量を面積で割ることにより、目付（ｇ／ｍ2）を求める。
【００３６】
第２実施形態のパンツ型使い捨ておむつ１Ｂの形成材料について説明する。第２実施形態のおむつ１Ｂについては、第１実施形態のパンツ型使い捨ておむつ１Ａの形成材料と同様である。
【００３７】
上述した本発明の第２実施形態のパンツ型使い捨ておむつ１Ｂを使用した際の作用効果について説明する。
第２実施形態のおむつ１Ｂの効果については、第１実施形態のおむつ１Ａの効果と同様であり、第１実施形態の展開型の使い捨ておむつ１Ａの効果の説明が適宜適用される。
【００３８】
次に、本発明の第３実施形態のパンツ型使い捨ておむつについて、図６，図７に基づいて説明する。
第３実施形態のパンツ型使い捨ておむつ１Ｃ（以下、「おむつ１Ｃ」ともいう）については、第１，第２実施形態のパンツ型使い捨ておむつ１Ａ，１Ｂと異なる点について説明する。特に説明しない点は、第１，第２実施形態のパンツ型使い捨ておむつ１Ａ，１Ｂと同様であり、第１，第２実施形態のパンツ型使い捨ておむつ１Ａ，１Ｂの説明が適宜適用される。
【００３９】
第３実施形態のおむつ１Ｃは、図６に示すように、各起立誘導部３５が空間部である第１実施形態のおむつ１Ａ、各起立誘導部３５が低目付部で形成されている第２実施形態のおむつ１Ｂと異なり、各起立誘導部３５が吸収体３３の長手方向（Ｙ方向）に沿うエンボス溝で形成されている。即ち、おむつ１Ｃの各起立誘導部３５は、図６に示すように、吸収体３３の中央部３３ｃと、吸収体３３の両側部３３ｂ，３３ｂとの間に、エンボス加工により形成されたエンボス溝である。エンボス加工としては、ヒートエンボス、超音波エンボス、高周波エンボス等の融着手段が用いられる。
【００４０】
おむつ１Ｂの吸収体３３は、図６に示すように、長手方向（Ｙ方向）の両側部３３ｂ，３３ｂそれぞれと中央部３３ｃとの間に、エンボス加工により形成された起立誘導部３５であるエンボス溝を有している。第３実施形態のおむつ１Ｃにおいては、各起立誘導部３５であるエンボス溝は、中心線ＣＬに沿って、吸収体３３の長手方向（Ｙ方向）の両端部３３ａ，３３ａ間に亘って形成されているが、腹側部Ａから股下部Ｃに亘ってのみ形成されていてもよい。おむつ１Ｃにおけるエンボス溝３５のＸ方向の長さは、５ｍｍ〜２０ｍｍであることが好ましく、吸収体３３の両側部３３ｂ，３３ｂそれぞれのＸ方向の長さは、３０ｍｍ〜５０ｍｍであることが好ましく、吸収体３３の中央部３３ｃのＸ方向の長さは、５０ｍｍ〜１２０ｍｍであることが好ましい。
【００４１】
第３実施形態のパンツ型使い捨ておむつ１Ｃの形成材料について説明する。第３実施形態のおむつ１Ｃについては、第１実施形態のパンツ型使い捨ておむつ１Ａの形成材料と同様である。
【００４２】
上述した本発明の第３実施形態のパンツ型使い捨ておむつ１Ｃを使用した際の作用効果について説明する。
第３実施形態のおむつ１Ｃの効果については、第１実施形態のおむつ１Ａの効果と同様であり、第１実施形態の展開型の使い捨ておむつ１Ａの効果の説明が適宜適用される。
【００４３】
本発明のパンツ型吸収性物品は、上述の第１，第２，第３実施形態のパンツ型使い捨ておむつに何ら制限されるものではなく、適宜変更可能である。また、上述の第１，第２，第３実施形態のパンツ型使い捨ておむつにおける各構成要件は、本発明の趣旨を損なわない範囲で、適宜組み合わせて実施できる。
【００４４】
例えば、上述の第１，第２，第３実施形態のパンツ型使い捨ておむつ１Ａ，１Ｂ，１Ｃにおいては、図２，図３（ｂ）に示すように、各立体ギャザー４が、背側シート部材２Ｂ上に、吸収性本体３の幅方向（Ｘ方向）の外方側に倒れ、広がった状態で固定されているが、立体ギャザー４の背側固定部６ｂの背側固定外方端６ｂ１が、吸収体３３の各起立誘導部３５の外方端３５ｂよりも外側に位置して形成されていればよく、広がった状態で固定されていなくてもよい。また、立体ギャザー４よりも外側にレッグギャザー部７を設ける形態（図８参照）とすることで脚回り部のフィット性を高めても良い。
【００４５】
また、パンツ型吸収性物品は、幼児又は成人用のパンツ型使い捨ておむつの他、パンツ型の生理用ナプキン等であってもよい。
【符号の説明】
【００４６】
１Ａ，１Ｂ，１Ｃ  パンツ型使い捨ておむつ
２Ａ  腹側シート部材
２ａ  腹側シート部材の側縁部
２Ｂ  背側シート部材
２ｂ  背側シート部材の側縁部
２１  外層シート
２２  内層シート
２３  弾性部材
３  吸収性本体
３ａ  吸収性本体の長手方向（Ｙ方向）の前後部分
３ｂ  吸収性本体の長手方向（Ｙ方向）の側部
３１  表面シート
３２  裏面シート
３３  吸収体
３３ａ  吸収体の長手方向（Ｙ方向）の端部
３３ｂ  吸収体の長手方向（Ｙ方向）の側部
３３ｃ  中央部
３３１  吸収コア
３３２  ティッシュペーパ
３３３  弾性部材
３３ａ  中央高剛性部
３３ｂ  吸収体の側部
３３ｃ  中央部
３４  接合部
３５  起立誘導部
３５ａ  起立誘導部３５の内方端
３５ｂ  起立誘導部３５の外方端
４  立体ギャザー
４１  シート材
４２  立体ギャザー形成用の弾性部材
５  サイドシール部
６ａ  腹側固定部
６ａ１  腹側固定内方端
６ｂ  背側固定部
６ｂ１  背側固定外方端
７  レッグギャザー部
Ａ  腹側部，Ｂ  背側部，Ｃ  股下部
ＣＬ  おむつの長手方向に延びる中心線，ＷＯ  ウエスト開口部，ＬＯ  レッグ開口部
【図１】
2011115484.tif 000003
【図２】
2011115484.tif 000004
【図３】
2011115484.tif 000005
【図４】
2011115484.tif 000006
【図５】
2011115484.tif 000007
【図６】
2011115484.tif 000008
【図７】
2011115484.tif 000009
【図８】
2011115484.tif 000010